(57)【要約】【課題】  ベッドへの設置が容易で、かつ枕の位置ずれを防ぐことのできる枕カバーを提供する。【解決手段】  枕カバー１は、ベッドに設置される枕カバーであって、収容部１０、及び可塑性部材２２を備えている。収容部１０は、枕を収容する部分である。収容部１０の上側には、可塑性部材２２が設けられている。可塑性部材２２は、ベッドの床板及び／又は敷物の上端部に沿って塑性変形することが可能である。【選択図】  図１
2016185322.tif 000002
【特許請求の範囲】
【請求項１】
ベッドに設置される枕カバーであって、
枕を収容する収容部と、
前記収容部の上側に設けられ、前記ベッドの床板及び／又は当該床板上に敷かれる敷物の上端部に沿って塑性変形することが可能な第１の可塑性部材と、
を備えることを特徴とする枕カバー。
【請求項２】
請求項１に記載の枕カバーにおいて、
一部が袋状に形成されたシート材を備え、
前記シート材の前記一部が、前記収容部を構成している枕カバー。
【請求項３】
請求項２に記載の枕カバーにおいて、
前記収容部は、両側端の少なくとも一方が開口している枕カバー。
【請求項４】
請求項３に記載の枕カバーにおいて、
前記収容部は、前記両側端の双方が開口している枕カバー。
【請求項５】
請求項２乃至４の何れかに記載の枕カバーにおいて、
前記第１の可塑性部材は、前記シート材に取り付けられている枕カバー。
【請求項６】
請求項５に記載の枕カバーにおいて、
前記第１の可塑性部材は、前記シート材に対して着脱可能である枕カバー。
【請求項７】
請求項５又は６に記載の枕カバーにおいて、
前記シート材は、前記第１の可塑性部材を収容するポケットを有する枕カバー。
【請求項８】
請求項５乃至７の何れかに記載の枕カバーにおいて、
前記第１の可塑性部材は、前記シート材の表側から見えないように、当該シート材に取り付けられている枕カバー。
【請求項９】
請求項１乃至８の何れかに記載の枕カバーにおいて、
前記第１の可塑性部材の長さは、２０ｃｍ以上である枕カバー。
【請求項１０】
請求項１乃至９の何れかに記載の枕カバーにおいて、
前記第１の可塑性部材の厚みは、２ｍｍ以下である枕カバー。
【請求項１１】
請求項１０に記載の枕カバーにおいて、
前記第１の可塑性部材の厚みは、１ｍｍ以下である枕カバー。
【請求項１２】
請求項１乃至１１の何れかに記載の枕カバーにおいて、
前記第１の可塑性部材は、線状をしており、前記ベッドの上下方向に延在する枕カバー。
【請求項１３】
請求項１２に記載の枕カバーにおいて、
前記収容部の上側に設けられ、前記床板及び／又は前記敷物の上端部に沿って塑性変形することが可能な第２の可塑性部材を備える枕カバー。
【請求項１４】
請求項１３に記載の枕カバーにおいて、
前記第２の可塑性部材は、線状をしており、前記ベッドの上下方向に延在する枕カバー。
【請求項１５】
請求項１４に記載の枕カバーにおいて、
前記第１の可塑性部材は、前記収容部の一方の側端の延長線の近傍に設けられ、
前記第２の可塑性部材は、前記収容部の他方の側端の延長線の近傍に設けられている枕カバー。
【請求項１６】
請求項１２乃至１５の何れかに記載の枕カバーにおいて、
前記収容部の上側に設けられた形状保持部材を備え、
前記形状保持部材は、線状をしており、前記ベッドの左右方向に延在する枕カバー。
【請求項１７】
請求項１６に記載の枕カバーにおいて、
前記形状保持部材は、塑性変形することが可能な部材からなる枕カバー。
【請求項１８】
請求項１６に記載の枕カバーにおいて、
前記形状保持部材は、弾性変形することが可能な部材からなる枕カバー。
【発明の詳細な説明】
【技術分野】
【０００１】
本発明は、枕カバーに関する。
【背景技術】
【０００２】
従来の枕カバーとしては、例えば特許文献１に記載されたものがある。同文献に記載された枕カバーは、リクライニング式のベッドに設置される枕カバーであって、枕を収容できるように一端が開口した袋状をしている。枕カバーの開口部付近には、一対の紐が縫着されている。
【先行技術文献】
【特許文献】
【０００３】
【特許文献１】特開平９−１２１９９９号公報
【発明の概要】
【発明が解決しようとする課題】
【０００４】
上述の枕カバーをベッドに設置する場合、まず、内部に枕を収容した状態で、開口部側の余剰部分（枕が収容されていない部分）を、マットレスの上端部を巻き込むようにしてマットレスと床板との間に挟み入れる。その後、紐を床板に結び付けることにより、枕カバーをベッドに固定する。
【０００５】
このように枕カバーを固定することにより、リクライニング式のベッドにおいて床板の頭部側を傾斜させた際、枕の位置ずれ（ずり落ち）を防止することができる。しかしながら、枕カバーの固定には、上述のとおり、紐を床板に結び付ける作業が必要となる。それゆえ、特許文献１に記載された枕カバーは、設置に手間がかかるという問題がある。
【０００６】
本発明は、上記課題に鑑みてなされたものであり、ベッドへの設置が容易で、かつ枕の位置ずれを防ぐことのできる枕カバーを提供することを目的とする。
【課題を解決するための手段】
【０００７】
本発明による枕カバーは、ベッドに設置される枕カバーであって、枕を収容する収容部と、上記収容部の上側に設けられ、上記ベッドの床板及び／又は当該床板上に敷かれる敷物の上端部に沿って塑性変形することが可能な第１の可塑性部材と、を備えることを特徴とする。
【０００８】
この枕カバーにおいては、第１の可塑性部材をベッドの床板及び／又は敷物の上端部に沿って塑性変形させることにより、当該上端部に枕カバーを引っ掛けることができる。これにより、枕の位置ずれを防ぐことができる。しかも、この枕カバーは、床板及び／又は敷物の上端部に沿って第１の可塑性部材を塑性変形させるだけでベッドに固定できるため、設置が容易である。
【発明の効果】
【０００９】
本発明によれば、ベッドへの設置が容易で、かつ枕の位置ずれを防ぐことのできる枕カバーが実現される。
【図面の簡単な説明】
【００１０】
【図１】本発明による枕カバーの第１実施形態を示す背面図である。
【図２】図１の枕カバーを示す正面図である。
【図３】図１の枕カバーが設置されたベッドの一部を示す平面図である。
【図４】図１の枕カバーが設置されたベッドの一部を示す側面図である。
【図５】図１の枕カバーが設置されたベッドの一部を示す側面図である。
【図６】図１の枕カバーの効果を説明するための側面図である。
【図７】本発明による枕カバーの第２実施形態を示す背面図である。
【図８】一変形例に係る枕カバーを示す背面図である。
【図９】他の変形例に係る枕カバーを示す背面図である。
【図１０】他の変形例に係る枕カバーを示す背面図である。
【図１１】他の変形例に係る枕カバーを示す背面図である。
【発明を実施するための形態】
【００１１】
以下、図面を参照しつつ、本発明の実施形態について詳細に説明する。なお、図面の説明においては、同一要素には同一符号を付し、重複する説明を省略する。
（第１実施形態）
【００１２】
図１は、本発明による枕カバーの第１実施形態を示す背面図である。また、図２は、図１の枕カバーを示す正面図である。枕カバー１は、ベッドに設置される枕カバー（ピローケース）であって、収容部１０、並びに可塑性部材２２（第１の可塑性部材）及び可塑性部材２４（第２の可塑性部材）を備えている。本実施形態においてベッドは、床板の頭部側を傾斜させることが可能なリクライニング式のベッドである。
【００１３】
収容部１０は、枕を収容する部分である。枕カバー１にはシート材３０が設けられており、シート材３０の一部分３０ａ（下端部）は袋状に形成されている。シート材３０の部分３０ａが、収容部１０を構成している。本実施形態においてシート材３０は、布製である。シート材３０の素材としては、例えば、綿、ポリエステル等を用いることができる。収容部１０は、両側端の少なくとも一方が開口している。図１及び図２は、収容部１０の両側端の双方が開口している場合を示している。
【００１４】
収容部１０の上側には、可塑性部材２２及び可塑性部材２４が設けられている。各可塑性部材２２，２４は、ベッドの床板及び／又は敷物の上端部に沿って塑性変形することが可能である。敷物は、床板上に敷かれるものであって、例えば、マットレス、布団等がこれに該当する。これらの可塑性部材２２，２４は、シート材３０に取り付けられている。詳細には、シート材３０における部分３０ａ以外の部分３０ｂに、可塑性部材２２，２４が取り付けられている。また、可塑性部材２２，２４は、図１に示すように、シート材３０の裏面（床板及び／又は敷物の上端部に沿って塑性変形したときに内側になる面）に取り付けられている。それゆえ、可塑性部材２２，２４は、図２からわかるように、シート材３０の表側からは見えない。
【００１５】
各可塑性部材２２，２４は、シート材３０に対して着脱可能であることが好ましい。ここで、着脱可能であるとは、各可塑性部材２２，２４及びシート材３０を損傷することなく、シート材３０に対する各可塑性部材２２，２４の取付け及び取外しを容易に行えるということである。例えば、面ファスナーを用いることにより、シート材３０に対して着脱可能な可塑性部材２２，２４を実現することができる。
【００１６】
各可塑性部材２２，２４は、線状をしており、シート材３０の上下方向（ベッドの上下方向に等しい。）に延在する。これらの可塑性部材２２，２４は、互いに離間している。具体的には、可塑性部材２２は、収容部１０の一方の側端（図１の右側の側端）の延長線の近傍に設けられている。また、可塑性部材２４は、収容部１０の他方の側端（図１の左側の側端）の延長線の近傍に設けられている。
【００１７】
各可塑性部材２２，２４の長さ（シート材３０の上下方向についての寸法）は、２０ｃｍ以上であることが好ましい。また、各可塑性部材２２，２４の厚さ（シート材３０の面に垂直な方向についての寸法）は、２ｍｍ以下であることが好ましく、１ｍｍ以下であることがより好ましい。可塑性部材２２，２４の材料としては、例えば、金属又は樹脂を用いることができる。
【００１８】
収容部１０の上側には、形状保持部材４０も設けられている。形状保持部材４０は、線状をしており、シート材３０の左右方向（ベッドの左右方向に等しい。）に延在する。形状保持部材４０は、塑性変形することが可能な部材からなっていてもよいし、弾性変形することが可能な部材からなっていてもよい。この形状保持部材４０も、シート材３０の裏面において、部分３０ｂに取り付けられている。また、形状保持部材４０は、シート材３０の上端の近傍に設けられている。形状保持部材４０も、可塑性部材２２，２４と同様、シート材３０に対して着脱可能であることが好ましい。
【００１９】
図３及び図４は、それぞれ枕カバー１が設置されたベッドの一部を示す平面図及び側面図である。このベッドは、床板９２及びその上に敷かれた敷物９４を有している。可塑性部材２２，２４は、床板９２及び敷物９４の上端部に沿って塑性変形している。すなわち、可塑性部材２２，２４は、当該上端部を巻き込むように折り曲げられている。可塑性部材２２，２４は、敷物９４の表面から、敷物９４及び床板９２の上端面を通って、床板９２の裏面まで達している。図４においては、見やすくするために可塑性部材２２，２４と床板９２及び敷物９４との間に隙間を設けているが、実際にはこれらは互いに密着している。収容部１０には、枕９６が収容されている。なお、ここでは可塑性部材２２，２４が床板９２及び敷物９４の双方の上端部に沿って塑性変形した場合を示しているが、可塑性部材２２，２４は、図５に示すように、敷物９４の上端部のみに沿って塑性変形してもよい。
【００２０】
枕カバー１の効果を説明する。枕カバー１においては、可塑性部材２２，２４をベッドの床板及び／又は敷物の上端部に沿って塑性変形させることにより、当該上端部に枕カバー１を引っ掛けることができる。これにより、枕の位置ずれを防ぐことができる。例えば、図６に示すように床板９２の頭部側を傾斜させた場合であっても、上記上端部に枕カバー１が引っ掛かった状態が、可塑性部材２２，２４の形状保持力により維持される。このため、枕９６がずり落ちるのを防ぐことができる。しかも、枕カバー１は、床板及び／又は敷物の上端部に沿って可塑性部材２２，２４を塑性変形させるだけでベッドに固定できるため、設置が容易である。
【００２１】
また、可塑性部材２２，２４は、変形自由度が高く、任意の位置で任意の角度に折り曲げることができる。このため、枕カバー１は、床板及び／又は敷物の上端部の厚みや形状にかかわらず、容易に設置することができる。
【００２２】
可塑性部材２２，２４は、線状をしており、シート材３０の上下方向に延在する。かかる可塑性部材２２，２４は、シート材３０の左右方向に垂直な平面内で塑性変形しやすい一方で、その他の平面内では塑性変形しにくいため、床板及び／又は敷物の上端部に沿って塑性変形させるのに適している。
【００２３】
可塑性部材２２は収容部１０の一方の側端の延長線の近傍に設けられており、可塑性部材２４は収容部１０の他方の側端の延長線の近傍に設けられている。このようにシート材３０の両側に可塑性部材２２，２４を設けることにより、枕カバー１をベッドに対して安定的に設置することができる。
【００２４】
可塑性部材２２，２４は、シート材３０の表側から見えないように、シート材３０に取り付けられている。これにより、枕カバー１がベッドに設置された状態では、可塑性部材２２，２４が露出しないため、枕カバー１の美観を高めることができる。
【００２５】
可塑性部材２２，２４がシート材３０に対して着脱可能である場合、可塑性部材２２，２４を取り外した状態で枕カバー１を洗濯することができる。また、可塑性部材２２，２４を取り外すことにより、枕カバー１を通常の枕カバー（ベッドに固定されない枕カバー）としても使用しやすくなる。
【００２６】
可塑性部材２２，２４の長さを大きくすることにより、枕カバー１をベッドに対して安定的に設置しやすくなる。かかる観点から、各可塑性部材２２，２４の長さは、２０ｃｍ以上であることが好ましい。
【００２７】
可塑性部材２２，２４の厚さを小さくすることにより、床板及び／又は敷物とヘッドボードとの隙間が小さい場合であっても、可塑性部材２２，２４が邪魔になりにくい。かかる観点から、各可塑性部材２２，２４の厚さは、２ｍｍ以下であることが好ましく、１ｍｍ以下であることがより好ましい。
【００２８】
収容部１０は、シート材３０における袋状の部分３０ａによって構成されている。これにより、簡易な構成で、収容部１０を実現することができる。また、収容部１０は、両側端の少なくとも一方が開口している。これにより、枕カバー１をベッドに設置したままの状態でも、収容部１０に対する枕の出し入れを容易に行うことができる。収容部１０の両側端の双方が開口している場合、枕の出し入れが特に容易になる。
【００２９】
さらに、枕カバー１には、シート材３０の左右方向に延在する線状の形状保持部材４０が設けられている。形状保持部材４０の形状保持力により、シート材３０が左右方向に平坦な状態が維持されるため、枕カバー１をベッドに対して一層安定的に設置することができる。
【００３０】
形状保持部材４０が塑性変形することが可能な部材からなる場合、可塑性部材２２，２４と共通の部材を用いて形状保持部材４０も得ることができるため、枕カバー１の製造コストを低く抑えるのに有利である。一方、形状保持部材４０が弾性変形することが可能な部材からなる場合、形状保持部材４０の形状保持力が高まるため、枕カバー１の安定性を向上させるのに有利である。
【００３１】
形状保持部材４０がシート材３０に対して着脱可能である場合、形状保持部材４０を取り外した状態で枕カバー１を洗濯することができる。また、形状保持部材４０を取り外すことにより、枕カバー１を通常の枕カバーとしても使用しやすくなる。
（第２実施形態）
【００３２】
図７は、本発明による枕カバーの第２実施形態を示す背面図である。枕カバー２は、ベッドに設置される枕カバーであって、収容部１０、可塑性部材２２，２４及び形状保持部材４０に加えて、ポケット５２（第１のポケット）、ポケット５４（第２のポケット）及びポケット５６（第３のポケット）を備えている。
【００３３】
本実施形態においては、シート材３０にポケット５２，５４，５６が設けられている。ポケット５２は、可塑性部材２２を収容する。ポケット５２は、上端又は下端の少なくとも一方が開口しており、当該開口部を通じて可塑性部材２２を出し入れすることができる。ポケット５４は、可塑性部材２４を収容する。ポケット５４は、上端又は下端の少なくとも一方が開口しており、当該開口部を通じて可塑性部材２４を出し入れすることができる。また、ポケット５６は、形状保持部材４０を収容する。ポケット５６は、左端又は右端の少なくとも一方が開口しており、当該開口部を通じて形状保持部材４０を出し入れすることができる。本実施形態のその他の構成は、第１実施形態と同様である。
【００３４】
枕カバー２の効果を説明する。枕カバー２においては、それぞれ可塑性部材２２，２４を収容するポケット５２，５４が設けられている。これにより、シート材３０の表側及び裏側の何れからも可塑性部材２２，２４を見えなくすることができる。このことは、枕カバー２の美観の向上に資する。また、簡易な構成で、シート材３０に対して着脱可能な可塑性部材２２，２４を実現することができる。
【００３５】
また、形状保持部材４０を収容するポケット５６が設けられている。これにより、シート材３０の表側及び裏側の何れからも形状保持部材４０を見えなくすることができる。このことも、枕カバー２の美観の向上に資する。また、簡易な構成で、シート材３０に対して着脱可能な形状保持部材４０を実現することができる。枕カバー２のその他の効果は、枕カバー１について説明したとおりである。
【００３６】
本発明は、上記実施形態に限定されるものではなく、様々な変形が可能である。上記実施形態においては、シート材３０が設けられており、当該シート材３０に可塑性部材２２，２４が取り付けられた場合を例示した。しかし、シート材３０を設けることは必須でない。シート材３０を設けない場合、例えば図８に示すように、各可塑性部材２２，２４の一端を収容部１０に直接固定してもよい。
【００３７】
上記実施形態においては、可塑性部材２２に加えて可塑性部材２４が設けられた場合を例示した。しかし、可塑性部材２４を設けることは必須でない。可塑性部材２４を設けない場合、図９に示すように、シート材３０の中心線（収容部１０の両側端から等距離の線）上に可塑性部材２２を配置することが好ましい。
【００３８】
上記実施形態においては、形状保持部材４０が設けられた場合を例示した。しかし、形状保持部材４０を設けることは必須でなく、例えば図１０に示すように、形状保持部材４０を設けなくてもよい。
【００３９】
上記実施形態においては、可塑性部材（可塑性部材２２，２４）が線状である場合を例示した。しかし、可塑性部材としては、図１１に示すように、帯状の可塑性部材２６を用いてもよい。
【符号の説明】
【００４０】
１  枕カバー
２  枕カバー
１０  収容部
２２  可塑性部材（第１の可塑性部材）
２４  可塑性部材（第２の可塑性部材）
２６  可塑性部材
３０  シート材
４０  形状保持部材
５２  ポケット（第１のポケット）
５４  ポケット（第２のポケット）
５６  ポケット（第３のポケット）
９２  床板
９４  敷物
９６  枕
【図１】
2016185322.tif 000003
【図２】
2016185322.tif 000004
【図３】
2016185322.tif 000005
【図４】
2016185322.tif 000006
【図５】
2016185322.tif 000007
【図６】
2016185322.tif 000008
【図７】
2016185322.tif 000009
【図８】
2016185322.tif 000010
【図９】
2016185322.tif 000011
【図１０】
2016185322.tif 000012
【図１１】
2016185322.tif 000013